(57)【要約】【課題】通信ネットワークを介した相互接続サービスの提供を受けるにあたり、通信相手に関する情報の管理を容易とする。【解決手段】登録代理サーバ１３は、情報機器１２Ａからのサービス利用ＩＤ発行要求を受けて、当該情報機器１２Ａに代わって相互接続サービスサーバ１１に対し、サービス利用ＩＤの発行を要求し、発行されたサービス利用ＩＤおよび情報機器１２Ａのアクセス制御情報を記憶し、いずれかの情報機器１２Ａ、１２Ｂ、…からサービス利用ＩＤとともに相互間接続情報提供の要求があった場合に、情報記憶部に記憶したサービス利用ＩＤおよびアクセス制御情報に基づいて相互間接続可能な他の情報機器に関する情報を相互間接続情報提供の要求を行った情報機器に対して提示する。【選択図】図２
2007311976.tif 000002
【特許請求の範囲】
【請求項１】
情報機器に対してサービス利用IＤを発行するとともに、前記サービス利用ＩＤを有する複数の前記情報機器同士の相互間接続サービスを提供するサービス提供サーバに対し、通信ネットワークを介して接続されるサーバ装置であって、
前記情報機器からのサービス利用ＩＤ発行要求を受けて、当該情報機器に代わって前記サービス提供サーバに対し、前記サービス利用ＩＤの発行を要求するＩＤ発行要求部と、
前記サービス提供サーバから発行された前記サービス利用ＩＤおよび前記情報機器のアクセス制御情報を記憶する情報記憶部と、
いずれかの情報機器から前記サービス利用ＩＤとともに相互間接続情報提供の要求があった場合に、前記情報記憶部に記憶した前記サービス利用ＩＤおよび前記アクセス制御情報に基づいて相互間接続可能な他の情報機器に関する情報を相互間接続情報提供の要求を行った情報機器に対して提示する情報提示部と、
を備えたことを特徴とするサーバ装置。
【請求項２】
請求項１記載のサーバ装置において、
前記情報提示部は、いずれかの情報機器から前記サービス利用ＩＤとともに相互間接続情報提供の要求があった場合に、前記情報記憶部を参照して、前記サービス利用ＩＤおよび前記アクセス制御情報に基づいて提供可能な相互間接続可能な他の情報機器に関する情報を検索する検索部を備えたことを特徴とするサーバ装置。
【請求項３】
請求項１または請求項２記載のサーバ装置において、
前記情報提示部は、前記相互間接続情報提供についての提供／非提供に関する情報を予め記憶することを特徴とするサーバ装置。
【請求項４】
請求項１ないし請求項３のいずれかに記載のサーバ装置において、
前記情報提示部は、前記相互間接続可能な他の情報機器に関する情報を電話帳形式の一覧情報として提供することを特徴とするサーバ装置。
【請求項５】
情報機器に対してサービス利用IＤを発行するとともに、前記サービス利用ＩＤを有する複数の前記情報機器同士の相互間接続サービスを提供するサービス提供サーバに対し、通信ネットワークを介して接続され、かつ、各種情報を記憶する情報記憶部を有するサーバ装置の制御方法であって、
前記情報機器からのサービス利用ＩＤ発行要求を受けて、当該情報機器に代わって前記サービス提供サーバに対し、前記サービス利用ＩＤの発行を要求するＩＤ発行要求過程と、
前記サービス提供サーバから発行された前記サービス利用ＩＤおよび前記情報機器のアクセス制御情報を前記情報記憶部に記憶する情報記憶過程と、
いずれかの情報機器から前記サービス利用ＩＤとともに相互間接続情報提供の要求があった場合に、前記情報記憶部に記憶した前記サービス利用ＩＤおよび前記アクセス制御情報に基づいて相互間接続可能な他の情報機器に関する情報を相互間接続情報提供の要求を行った情報機器に対して提示する情報提示過程と、
を備えたことを特徴とするサーバ装置の制御方法。
【請求項６】
情報機器に対してサービス利用IＤを発行するとともに、前記サービス利用ＩＤを有する複数の前記情報機器同士の相互間接続サービスを提供するサービス提供サーバに対し、通信ネットワークを介して接続され、かつ、各種情報を記憶する情報記憶部を有するサーバ装置をコンピュータにより制御するための制御プログラムであって、
前記情報機器からのサービス利用ＩＤ発行要求を受けて、当該情報機器に代わって前記サービス提供サーバに対し、前記サービス利用ＩＤの発行を要求させ、
前記サービス提供サーバから発行された前記サービス利用ＩＤおよび前記情報機器のアクセス制御情報を前記情報記憶部に記憶させ、
いずれかの情報機器から前記サービス利用ＩＤとともに相互間接続情報提供の要求があった場合に、前記情報記憶部に記憶した前記サービス利用ＩＤおよび前記アクセス制御情報に基づいて相互間接続可能な他の情報機器に関する情報を相互間接続情報提供の要求を行った情報機器に対して提示させる、
ことを特徴とする制御プログラム。
【発明の詳細な説明】
【技術分野】
【０００１】
本発明は、サーバ装置、サーバ装置の制御方法および制御プログラムに係り、特に情報機器同士の相互間接続サービスを提供するサービス提供サーバに対し、通信ネットワークを介して接続されるサーバ装置、サーバ装置の制御方法および制御プログラムに関する。
【背景技術】
【０００２】
従来、ＴＣＰ／ＩＰプロトコルを用いた通信ネットワークに接続される情報機器は、ＩＰアドレスと呼ばれるユニーク（一意）のアドレス情報（ＩＰアドレス）により、識別されている。より具体的には、以下のフォーマットにより表される。
＊＊＊．＊＊＊．＊＊＊．＊＊＊    （ただし、＊＊＊は、０〜２５５）
ところで、ＴＣＰ／ＩＰプロトコルを用いた通信ネットワークにおいて、通信相手を特定するためには、ＩＰアドレスで指定するか、あるいは、ＤＮＳ（Domain Name System）でＩＰアドレスに変換できるＵＲＩにより指定することが考えられる。
しかし、ＩＰアドレスは、一般ユーザにはなじみが薄く、人間にはわかりづらいものであり、ＵＲＩは英文字を入力することが困難な情報機器から入力するのは不便であった。
【０００３】
このため、特許文献１記載の技術は、サーバに利用者と情報機器のＩＰアドレスと、電話番号を関連づけて登録することで登録された電話番号を用いて通信相手を特定することができるようにしている。
例えば、ＳＩＰを使ったＩＰ電話も同様の仕組みを採用しており、ＩＰ電話サービスを提供する事業者に機器情報登録を行うと、ＩＰアドレスに関連づけられた電話番号が付与されることとなる。この結果、ユーザが電話をかけると、対応する接続要求がＩＰ電話サーバに送られ、ＩＰ電話サーバは、電話番号をＩＰアドレスに変換し、当該ＩＰアドレスに相当する通信相手に接続要求を転送することで、相互接続を行い、通話ができるようになっている。
【０００４】
ところで、電話番号は、一般的ユーザにとって身近で使い慣れた情報であり、数字により構成されているため情報端末から入力する場合も容易である。
しかしながら、特許文献１記載の技術は、通信相手の電話番号は予め通信元のユーザが知っている必要があり、通信相手が増加すると電話番号の管理も容易ではなくなる。
【特許文献１】特開平１０−２９０２６４号公報
【特許文献２】特開２００５−１７５７２１号公報
【発明の開示】
【発明が解決しようとする課題】
【０００５】
これを解決すべく、特許文献２記載の技術は、いわゆる電話帳データテーブルへの電話番号の登録に特別な操作を行うことなく自動的に登録し、簡単な操作で登録した電話番号を検索するものを提案している。
しかしながら、電話帳データテーブルに多くの電話番号を登録するのは手間が煩雑であるとともに、電話番号を自動的に登録するため、通話を望まない相手の電話番号も登録されてしまうという弊害があった。
そこで、本発明の目的は、通信ネットワークを介した相互接続サービスの提供を受けるにあたり、通信相手に関する情報の管理を容易とすることが可能なサーバ装置、サーバ装置の制御方法および制御プログラムを提供することにある。
【課題を解決するための手段】
【０００６】
上記課題を解決するため、情報機器に対してサービス利用IＤを発行するとともに、前記サービス利用ＩＤを有する複数の前記情報機器同士の相互間接続サービスを提供するサービス提供サーバに対し、通信ネットワークを介して接続されるサーバ装置であって、前記情報機器からのサービス利用ＩＤ発行要求を受けて、当該情報機器に代わって前記サービス提供サーバに対し、前記サービス利用ＩＤの発行を要求するＩＤ発行要求部と、前記サービス提供サーバから発行された前記サービス利用ＩＤおよび前記情報機器のアクセス制御情報を記憶する情報記憶部と、いずれかの情報機器から前記サービス利用ＩＤとともに相互間接続情報提供の要求があった場合に、前記情報記憶部に記憶した前記サービス利用ＩＤおよび前記アクセス制御情報に基づいて相互間接続可能な他の情報機器に関する情報を相互間接続情報提供の要求を行った情報機器に対して提示する情報提示部と、を備えたことを特徴としている。
【０００７】
上記構成によれば、ＩＤ発行要求部は、情報機器からのサービス利用ＩＤ発行要求を受けて、当該情報機器に代わってサービス提供サーバに対し、サービス利用ＩＤの発行を要求する。
これにより、記憶部は、サービス提供サーバから発行されたサービス利用ＩＤおよび情報機器のアクセス制御情報を記憶し、情報提示部は、いずれかの情報機器からサービス利用ＩＤとともに相互間接続情報提供の要求があった場合に、情報記憶部に記憶したサービス利用ＩＤおよび前記アクセス制御情報に基づいて相互間接続可能な他の情報機器に関する情報を相互間接続情報提供の要求を行った情報機器に対して提示する。
【０００８】
この場合において、前記情報提示部は、いずれかの情報機器から前記サービス利用ＩＤとともに相互間接続情報提供の要求があった場合に、前記情報記憶部を参照して、前記サービス利用ＩＤおよび前記アクセス制御情報に基づいて提供可能な相互間接続可能な他の情報機器に関する情報を検索する検索部を備えるようにしてもよい。
また、前記情報提示部は、前記相互間接続情報提供についての提供／非提供に関する情報を予め記憶するようにしてもよい。
さらに、前記情報提示部は、前記相互間接続可能な他の情報機器に関する情報を電話帳形式の一覧情報として提供するようにしてもよい。
【０００９】
また、情報機器に対してサービス利用IＤを発行するとともに、前記サービス利用ＩＤを有する複数の前記情報機器同士の相互間接続サービスを提供するサービス提供サーバに対し、通信ネットワークを介して接続され、かつ、各種情報を記憶する情報記憶部を有するサーバ装置の制御方法であって、前記情報機器からのサービス利用ＩＤ発行要求を受けて、当該情報機器に代わって前記サービス提供サーバに対し、前記サービス利用ＩＤの発行を要求するＩＤ発行要求過程と、前記サービス提供サーバから発行された前記サービス利用ＩＤおよび前記情報機器のアクセス制御情報を前記情報記憶部に記憶する情報記憶過程と、いずれかの情報機器から前記サービス利用ＩＤとともに相互間接続情報提供の要求があった場合に、前記情報記憶部に記憶した前記サービス利用ＩＤおよび前記アクセス制御情報に基づいて相互間接続可能な他の情報機器に関する情報を相互間接続情報提供の要求を行った情報機器に対して提示する情報提示過程と、を備えたことを特徴としている。
【００１０】
また、情報機器に対してサービス利用IＤを発行するとともに、前記サービス利用ＩＤを有する複数の前記情報機器同士の相互間接続サービスを提供するサービス提供サーバに対し、通信ネットワークを介して接続され、かつ、各種情報を記憶する情報記憶部を有するサーバ装置をコンピュータにより制御するための制御プログラムであって、前記情報機器からのサービス利用ＩＤ発行要求を受けて、当該情報機器に代わって前記サービス提供サーバに対し、前記サービス利用ＩＤの発行を要求させ、前記サービス提供サーバから発行された前記サービス利用ＩＤおよび前記情報機器のアクセス制御情報を前記情報記憶部に記憶させ、いずれかの情報機器から前記サービス利用ＩＤとともに相互間接続情報提供の要求があった場合に、前記情報記憶部に記憶した前記サービス利用ＩＤおよび前記アクセス制御情報に基づいて相互間接続可能な他の情報機器に関する情報を相互間接続情報提供の要求を行った情報機器に対して提示させる、ことを特徴としている。
【発明の効果】
【００１１】
本発明によれば、通信ネットワークを介した相互接続サービスの提供を受けるにあたり、予め接続が許可されている情報機器のみの接続先情報の提供を容易に受けることができ、接続先情報の管理を容易とすることができる。
【発明を実施するための最良の形態】
【００１２】
次に本発明の好適な実施形態について図面を参照して説明する。
図１は、実施形態の相互接続通信システムの概要構成図である。
相互接続通信システム１０は、相互接続サービスを提供する相互接続サービスサーバ１１を備えており、この相互接続サービスサーバ１１の下で相互接続サービスの提供を受ける複数の情報機器１２Ａ、１２Ｂ、…と、本発明のサーバ装置として機能し、相互接続サービスの提供を受けるに先立って情報機器１２Ａ、１２Ｂ、…に代わって相互接続サービスサーバ１１に対する機器情報登録を行うとともに、いわゆる電話帳データテーブル（あるいは電話帳データベース）を情報機器１２Ａ、１２Ｂ、…に対して提供する登録代理サーバ１３と、ユーザ端末１４Ａ、１４Ｂ、…と、サービスサーバ１１、情報機器１２Ａ、１２Ｂ、…、登録代理サーバ１３およびユーザ端末１４Ａ、１４Ｂ、…を相互に接続するためのインターネットなどのネットワーク１５と、を備えている。
【００１３】
図２は、相互接続通信システムの機能構成ブロック図である。図２においては、図示の簡略化のため、同様の構成を有する情報機器１２Ａ、１２Ｂ、…については、情報機器１２Ａのみを図示し、ユーザ端末１４Ａ、１４Ｂ、…については、ユーザ端末１４Ａのみを図示している。また、以下の説明においては、情報機器１２Ａは、ユーザ端末１４Ａのユーザにより管理されているものとする。
【００１４】
相互接続サービスサーバ１１は、情報機器１２Ａ、１２Ｂ、…あるいは登録代理サーバ１３からのサーバ登録要求（サービス利用ＩＤ発行要求）を受けて、相互接続サービスを利用可能とするためのサービス利用IＤをサーバ登録要求元に発行するＩＤ発行部１１Ａと、情報機器１２Ａ、１２Ｂ、…からの接続要求を通信ネットワーク１５を介して通信先の他の情報機器に転送する接続要求転送部１１Ｂと、を備えている。
【００１５】
登録代理サーバ１３は、ユーザ端末１４Ａのブラウザ２１を介して送信される情報機器登録処理指示データ（ファイル）の受付を行う情報機器受付部１３Ａと、情報機器登録処理指示データ（ファイル）の受け付けた情報機器に対するサーバ登録要求を当該情報機器に代わって行うサーバ登録部１３Ｂと、サーバ登録要求にしたがって相互接続サービスサーバ１１のＩＤ発行部１１Ａから発行されたサービス利用ＩＤを後述の機器情報保持部１３Ｅに登録するＩＤ登録部１３Ｃと、発行されたサービス利用ＩＤをユーザ端末１４Ａに対し、メール２２により連絡するＩＤ連絡部１３Ｄと、ＩＤ登録部１３Ｃにより登録されたサービス利用ＩＤおよび当該サービス利用ＩＤに対応する情報機器について登録されたアクセス制御データを対応づけて記憶する機器情報保持部１３Ｅと、を備えている。
【００１６】
さらに、登録代理サーバ１３は、情報機器１２Ａ、１２Ｂ、…からの一覧情報要求データＤｓの入力に基づいて機器情報保持部１３Ｅを参照し、一覧情報要求データＤｓの入力元の情報機器が相互接続可能な情報機器の一覧情報を検索する一覧情報検索部１３Ｆと、一覧情報検索部１３Ｆの検索結果に基づいて一覧情報データＤＬを生成し、情報機器１２Ａ、１２Ｂ、…に送信する一覧情報送信部１３Ｇと、情報機器１２Ａ、１２Ｂ、…からのアクセス制御変更要求データＤCHの入力に基づいて対応する情報機器のアクセス制御データを新規に機器情報保持部１３Ｅに登録し、あるいは、機器情報保持部１３Ｅのアクセス制御データを変更するアクセス制御変更部１３Ｈと、アクセス制御変更部１３Ｈによるアクセス制御データの変更（あるいは新規登録）結果を変更結果通知データＤARとして対応する情報機器１２Ａ、１２Ｂ、…に送信するアクセス制御変更結果通知部１３Iと、を備えている。
【００１７】
情報機器１２A（、１２Ｂ、…）は、ユーザ端末１４Ａ（、１４Ｂ、…）からサービス利用ＩＤが入力されるＩＤ入力部３１と、ＩＤ入力部３１を介して入力されたサービス利用ＩＤを記憶するＩＤ記憶部３２と、一覧情報要求データＤｓを一覧情報検索部１３Ｆに送信する一覧情報要求部３３と、一覧情報送信部１３Ｇからの一覧情報データＤＬに基づいて、相互接続可能な情報機器の一覧を表示する一覧表示部３４と、新規に登録すべきアクセス制御データあるいはすでに機器情報保持部１３Ｅに保持されているアクセス制御データの変更内容を入力するためのアクセス制御入力部３５と、アクセス制御入力部３５の入力状態に基づいてアクセス制御変更要求データＤCHをアクセス制御変更部１３Ｈに対して送信するアクセス制御変更要求部３６と、アクセス制御変更結果通知部１３Iからの変更結果通知データＤARに基づいてアクセス制御変更結果を表示するアクセス制御変更結果表示部３７と、ネットワーク１５を介して相互接続サービスサーバ１１に対し、ＩＤ記憶部３２に記憶したサービス利用ＩＤを用いて相互接続サービスの提供を受けるべく接続要求を行う接続要求部３８と、を備えている。
【００１８】
ここで、機器情報保持部１３Ｅのデータベース構成について説明する。
図３は、機器情報保持部のデータベース構成説明図である。
機器情報保持部１３Ｅは、サービスを利用する情報機器に対応するサービス利用ＩＤを記憶するサービス利用ＩＤ記憶部４１と、利用者の情報を記憶する利用者情報記憶部４２と、機器情報を記憶する機器情報記憶部４３と、公開設定記憶部４４と、通知相手のサービス利用ＩＤを記憶する相手先サービス利用ＩＤ記憶部４５と、を備えている。
サービス利用ＩＤ記憶部４１は、情報機器１２Ａ、１２Ｂ、…を毎に相互接続サービスサーバ１１が発行したサービス利用ＩＤである電話番号が格納されている。
【００１９】
利用者情報記憶部４２は、各情報機器１２Ａ、１２Ｂ、…を管理しているユーザに関する情報（例えば、ユーザ名など）が格納されている。
機器情報記憶部４３は、情報機器１２Ａ、１２Ｂ、…の種類情報（プリンタ、ＦＡＸなど）を格納する種類情報格納部４３Ａと、機種仕様情報（型番、ＯＳ名など）を格納する機種仕様情報格納部４３Ｂと、設置場所情報（事業所名、設置階など）を格納する設置場所情報格納部４３Ｃと、を備えている。
公開設定記憶部４４は、利用者情報で特定されるユーザ以外の他のユーザに対し、当該ユーザの管理している情報機器の情報を公開するか否かを表す公開情報を記憶している。
相手先サービス利用ＩＤ記憶部４５は、公開情報が「公開」である場合には、公開を拒否する情報機器のサービス利用ＩＤが格納され、公開情報が「非公開」である場合には、例外的に公開対象とする情報機器のサービス利用ＩＤが格納されている。
【００２０】
次に実施形態の動作を説明する。
図４は、ユーザ端末の情報登録処理の処理フローチャートである。
まず、相互接続サービスの利用に先立って、ユーザは、ユーザ端末を利用して情報機器の機器情報をサーバに登録する必要がある。
以下の説明として、ユーザ端末１４Ａは、パーソナルコンピュータとして構成されており、情報機器１２Ａは、通信ネットワーク１５としてのインターネットに接続する機能を有するプリンタであるものとして説明を行う。
ユーザは、ユーザ端末１４Ａを操作し、ブラウザを起動し、登録代理サーバ１３のホームページにアクセスし（ステップＳ１１）、プリンタである情報機器１２Ａの機器情報を入力する（ステップＳ１２）。
図５は、登録代理サーバの基本情報登録処理の処理フローチャートである。
これにより、登録代理サーバ１３の情報機器受付部１３Ａは、機器情報の登録を受け付け（ステップＳ２１）、ユーザが入力したユーザ情報および情報機器１２Ａの機器情報を機器情報保持部１３Ｆに保存する（ステップＳ２２）。
【００２１】
図６は、基本情報登録処理後の機器情報保持部のデータ格納状態説明図である。
図６においては、ユーザ名＝「ＡＡＡＡ」、機器情報としての種類情報＝「プリンタ」、機種仕様情報＝「ＬＰ−９０００」および設置場所情報＝「Ａ社Ｘ部」が登録されたこととなっている。
【００２２】
図７は、登録代理サーバの相互接続サービスサーバに対する処理の処理フローチャートである。
まず、登録代理サーバ１３のサーバ登録部１３Ｂが相互接続サービスサーバ１１にアクセスして接続し（ステップＳ２３）、ユーザ端末１４Ａ、ひいては、情報機器１２Ａに代わって登録要求を行う（ステップＳ２４）。この結果、相互接続サービスサーバ１１は、登録要求を受け付けると、ＩＤ発行部１１Ａがサービス利用ＩＤを発行し、サーバ登録部１３Ｂに通知することとなる。
【００２３】
一方、サーバ登録部１３Ｂは、相互接続サービスサーバ１１から情報機器１２Ａであるプリンタに対応するサービス利用ＩＤを受信したか否かを判別する（ステップＳ２５）。
ステップＳ２５の判別において、未だサービス利用ＩＤを受信していない場合には（ステップＳ２５；Ｎｏ）、待機状態となる。
ステップＳ２５の判別において、サービス利用ＩＤを受信した場合には（ステップＳ２５；Ｙｅｓ）、登録代理サーバ１３のＩＤ登録部１３Ｃは、受信したサービス利用ＩＤを機器情報保持部１３Ｅに保存する（ステップＳ２６）。
【００２４】
図８は、サービス利用ＩＤの保存後の機器情報保持部のデータ格納状態説明図である。
図８に示すように、サービス利用ＩＤ記憶部には、情報機器１２Ａに対応するサービス利用ＩＤである電話番号＝「１１１１−１１−１１＊＊」が格納されている。この状態において、公開設定については、初期状態である「非公開」とされている。
これと並行してＩＤ連絡部１３Ｄは、ユーザに対してメール２２でサービス利用ＩＤを連絡する（ステップＳ２７）。
この結果、ユーザは、情報機器１２Ａであるプリンタの操作を行い、ＩＤ入力部３１を介して連絡されたサービス利用ＩＤを入力する。
これにより、情報機器１２ＡのＩＤ記憶部３２は、入力されたサービス利用ＩＤを記憶することとなる。
【００２５】
次にアクセス制御情報の登録について説明する。
図９は、情報機器のアクセス制御情報の登録処理の処理フローチャートである。
各ユーザは、情報機器１２Ａ、１２Ｂ、…にアクセス制御情報（公開設定および相手先サービス利用ＩＤ）を設定して（ステップＳ３１）、各情報機器１２Ａ、１２Ｂ、…から当該情報機器のサービス利用ＩＤとアクセス制御情報を登録代理サーバ１３に送信する（ステップＳ３２）。
図１０は、登録代理サーバのアクセス制御情報の登録処理の処理フローチャートである。
登録代理サーバ１３は、受信したサービス利用ＩＤを受信したか否かを判別する（ステップＳ３３）。
ステップＳ３３の判別において、サービス利用ＩＤを受信していない場合には（ステップＳ３３；Ｎｏ）、登録代理サーバ１３は、待機状態となる。
ステップＳ３３の判別においてサービス利用ＩＤを受信した場合には、登録代理サーバ１３は、受信したサービス利用ＩＤを用いて機器情報保持部１３Ｅから対応する機器情報を検索し（ステップＳ３４）、アクセス制御情報の登録を試みる。
【００２６】
次に登録代理サーバ１３のアクセス制御変更結果通知部１３Ｉは、アクセス制御情報の登録が完了したか否かを判別する（ステップＳ３５）。
ステップＳ３５の判別において、アクセス制御情報の登録が完了しなかった場合には（ステップＳ３５；Ｎｏ）、登録代理サーバ１３のアクセス制御変更結果通知部１３Ｉは、情報機器１２Ａであるプリンタに対して登録失敗を通知して処理を終了する（ステップＳ３６）。
ステップＳ３５の判別において、アクセス制御情報の登録が完了した場合には（ステップＳ３５；Ｙｅｓ）、登録代理サーバ１３のアクセス制御変更結果通知部１３Ｉは、情報機器１２Ａであるプリンタに対して登録成功を通知して処理を終了する（ステップＳ３６）。
ここで、アクセス制御情報の登録の具体例を説明する。
【００２７】
図１１は、アクセス制御情報の登録の具体例の説明図である。
ユーザは、プリンタである情報機器１２Ａのアクセス制御入力部３５から公開設定＝「非公開」のままで、特別に通知する、すなわち、例外的に公開対象とする情報機器のサービス利用ＩＤとして、例えば、「１１１１−１１−１１＊＊」および「４４４４−４４−４４＊＊」が登録される。
図１１に示すように状態においては、ユーザＡＡＡＡが管理し、所有する情報機器１２Ａであるプリンタの機器情報は、一般的なユーザに対しては公開されないが、サービス利用ＩＤとして、「１１１１−１１−１１＊＊」および「４４４４−４４−４４＊＊」に対応する情報機器からの要求があった場合には、公開されることとなる。
【００２８】
図１２は、アクセス制御の変更結果の受信表示処理の処理フローチャートである。
情報機器１２Ａであるプリンタのアクセス制御変更結果表示部３７は、登録代理サーバ１３のアクセス制御変更結果通知部１３Ｉからアクセス制御情報変更結果を受信し（ステップＳ４１）、アクセス制御情報変更結果（登録完了または登録失敗）を表示する（ステップＳ４２）。
次に実施形態における機器情報の提供サービス（以下、電話帳サービスという）を利用する場合の処理について説明する。
【００２９】
図１３は、電話帳サービス利用開始時のユーザ端末の処理フローチャートである。
図１４は、電話帳サービス利用時の登録代理サーバの処理フローチャートである。
以下の説明においては、電話帳サービスを利用する情報機器を情報機器１２Ｂとし、当該情報機器１２Ｂはパーソナルコンピュータであるものとして説明する。
ユーザが、情報機器１２Ｂを介して、電話帳サービス利用開始の指示をすると、情報機器１２Ｂは、予め記憶しておいたサービス利用ＩＤを読み出し（ステップＳ５１）、登録代理サーバ１３に当該サービス利用ＩＤを送信する（ステップＳ５２）。
これにより登録代理サーバ１３は、電話帳サービスを希望するユーザのサービス利用ＩＤを情報機器１２Ｂから受信する（ステップＳ５３）。
次に登録代理サーバ１３の一覧情報検索部１３Ｆは、公開設定が「公開」となっており、対応する相手先サービス利用ＩＤ記憶部４５にサービス利用ＩＤが登録されていない情報機器を検索し、抽出する（ステップＳ５４）。
続いて登録代理サーバ１３の一覧情報検索部１３Ｆは、公開設定が「非公開」となっており、対応する相手先サービス利用ＩＤ記憶部４５にサービス利用ＩＤが登録されている情報機器を検索し、抽出する（ステップＳ５５）。
これらの結果、登録代理サーバ１３の一覧情報送信部１３Ｇは、一覧情報検索部１３Ｆの検索結果に基づいて一覧情報データＤＬを生成し、情報機器１２Ｂに送信する（ステップＳ５５）。
【００３０】
図１５は、電話帳サービス利用時の情報機器の処理フローチャートである。
情報機器１２Ｂの一覧情報要求部３３は、登録代理サーバ１３から一覧情報としての一覧情報データＤＬ受信したか否かを判別する（ステップＳ５６）。
ステップＳ５６の判別において、一覧情報データＤＬを受信していない場合には（ステップＳ５６；Ｎｏ）情報機器１２Ｂは待機状態となる。
ステップＳ５６の判別において、一覧情報データＤLを受信した場合には（ステップＳ５６；Ｙｅｓ）、情報機器１２Ｂの一覧表示部３４は、一覧情報を表示することとなる。
【００３１】
図１６は、一覧表示画面の一例の説明図である。
この場合において、上述して情報機器１２Ｂのサービス利用ＩＤ＝「１１１１−２２−３３＊＊」である場合には、サービス利用ＩＤ＝「１１１１−１１−１１＊＊」およびサービス利用ＩＤ「３３３３−３３−３３＊＊」が一覧表示検索結果となる。
したがって、情報機器１２Ｂの一覧表示画面５０は、図１６に示すようなものとなり、表示されたこれらのサービス利用ＩＤを相互接続サービスサーバ１１に対して通信ネットワークを介して通信先として指定することにより相互接続がなされることとなる。
【００３２】
以上の説明のように、本実施形態によれば、登録代理サーバ１３からユーザが利用可能な他の情報機器を自動的に電話帳のように一覧表示させることができるので、各ユーザは、個人的に通信相手の電話番号あるいはＩＰアドレスを管理する必要がなく、利便性が向上する。
また、登録代理サーバ１３の利用については、相互接続サービスサーバ１１と同一の処理を行うだけでよいので、既存の相互接続サービスシステム構成を大きく変更する必要がなく、容易に適用が可能となる。
【００３３】
以上の説明において、登録代理サーバ１３を相互接続サービスサーバ１１とは別個に設けるようにしていたが、登録代理サーバ１３の機能を相互接続サービスサーバ１１に持たせるように構成することも可能である。
【図面の簡単な説明】
【００３４】
【図１】実施形態の相互接続通信システムの概要構成図である。
【図２】相互接続通信システムの機能構成ブロック図である。
【図３】機器情報保持部のデータベース構成説明図である。
【図４】ユーザ端末の情報登録処理の処理フローチャートである。
【図５】登録代理サーバの基本情報登録処理の処理フローチャートである。
【図６】基本情報登録処理後の機器情報保持部のデータ格納状態説明図である。
【図７】登録代理サーバの相互接続サービスサーバに対する処理の処理フローチャートである。
【図８】サービス利用ＩＤの保存後の機器情報保持部のデータ格納状態説明図である。
【図９】情報機器のアクセス制御情報の登録処理の処理フローチャートである。
【図１０】登録代理サーバのアクセス制御情報の登録処理の処理フローチャートである。
【図１１】アクセス制御情報の登録の具体例の説明図である。
【図１２】アクセス制御の変更結果の受信表示処理の処理フローチャートである。
【図１３】電話帳サービス利用開始時のユーザ端末の処理フローチャートである。
【図１４】電話帳サービス利用時の登録代理サーバの処理フローチャートである。
【図１５】電話帳サービス利用時の情報機器の処理フローチャートである。
【図１６】一覧表示画面の一例の説明図である。
【符号の説明】
【００３５】
１０…相互接続通信システム、１１…相互接続サービスサーバ、１１Ａ…ＩＤ発行部、１１Ｂ…接続要求転送部、１２Ａ、１２Ｂ…情報機器、１３…登録代理サーバ、１３Ａ…情報機器受付部、１３Ｂ…サーバ登録部、１３Ｃ…ＩＤ登録部、１３Ｄ…ＩＤ連絡部、１３Ｅ…機器情報保持部、１３Ｆ…一覧情報検索部、１３Ｇ…一覧情報送信部、１３Ｈ…アクセス制御変更部、１３Ｉ…アクセス制御変更結果通知部、１４Ａ、１４Ｂ…ユーザ端末、１５…ネットワーク、３１…ＩＤ入力部、３２…ＩＤ記憶部、３３…一覧情報要求部、３４…一覧表示部、３５…アクセス制御入力部、３６…アクセス制御変更要求部、３７…アクセス制御変更結果表示部、３８…接続要求部。
【図１】
2007311976.tif 000003
【図２】
2007311976.tif 000004
【図３】
2007311976.tif 000005
【図４】
2007311976.tif 000006
【図５】
2007311976.tif 000007
【図６】
2007311976.tif 000008
【図７】
2007311976.tif 000009
【図８】
2007311976.tif 000010
【図９】
2007311976.tif 000011
【図１０】
2007311976.tif 000012
【図１１】
2007311976.tif 000013
【図１２】
2007311976.tif 000014
【図１３】
2007311976.tif 000015
【図１４】
2007311976.tif 000016
【図１５】
2007311976.tif 000017
【図１６】
2007311976.tif 000018